(57)【要約】      （修正有）【課題】簡易な構成でコンパクトにまとめることができ、かつメダルを円滑に発射させることができるメダル発射装置を提供する。【解決手段】メダルゲーム機のメダル収容部に取り付け可能なケーシング３０と、ケーシング３０に収容され投入されたメダルが移動する湾曲状のレール部材５４と、ケーシング３０に収容され回転駆動することによりレール部材５４との間で挟持したメダルに駆動力を与えこのメダルをレール部材５４に沿って発射させるウレタンローラ６４と、ケーシング３０に収容されウレタンローラ６４を回転駆動する駆動モータ４２と、を有する構成にした。【選択図】図５
0003139699.tif 000002
【実用新案登録請求の範囲】
【請求項１】
メダルを発射するメダル発射装置であって、
他の部材に取り付け可能なケーシングと、
前記ケーシングに収容され、投入された前記メダルが移動する湾曲状のレール部材と、
前記ケーシングに収容され、回転駆動することにより前記レール部材との間で挟持した前記メダルに駆動力を与え、前記メダルを前記レール部材に沿って発射させる駆動ローラと、
前記ケーシングに収容され、前記駆動ローラを回転駆動する駆動源と、
を有することを特徴とするメダル発射装置。
【請求項２】
前記駆動源は、モータであり、
前記駆動ローラと前記モータは、前記レール部材を挟んで上下方向に配置され、
前記モータの回転軸に取り付けられたプーリと前記駆動ローラの回転軸に取り付けられたプーリに掛け渡されたタイミングベルトにより前記モータの駆動力が前記駆動ローラに伝達されることを特徴とする請求項１に記載のメダル発射装置。
【請求項３】
前記レール部材、前記駆動ローラ及び前記駆動源は、前記ケーシングに収容され前記ケーシングに対して所定の円弧を描くように所定の軸回りに回転移動する位置調整部材に設けられ、
前記位置調整部材には、把持可能な把持部材が設けられ、
前記把持部材を操作して前記位置調整部材を円弧に沿って回転移動させることにより前記メダルの発射方向を調整することを特徴とする請求項１又は２に記載のメダル発射装置。
【請求項４】
前記位置調整部材には、前記駆動ローラを回転可能に支持し、かつ前記駆動ローラと前記レール部材との間の離間距離を調整するローラ支持部材が設けられていることを特徴とする請求項３に記載のメダル発射装置。
【請求項５】
前記位置調整部材であって前記レール部材に前記メダルを投入する部位には、前記レール部材と連通し前記レール部材に残留した前記メダルを除去する工具を挿入可能な筒状部材が設けられ、
前記把持部材は、前記筒状部材に取り付けられていることを特徴とする請求項３又は４に記載のメダル発射装置。
【請求項６】
前記レール部材に残留した前記メダルを検知するメダル検知手段を設けたことを特徴とする請求項１乃至５のいずれか１項に記載のメダル発射装置。
【考案の詳細な説明】
【技術分野】
【０００１】
本考案は、メダルを発射するメダル発射装置に関する。
【背景技術】
【０００２】
従来から、メダルを用いて遊技を行うメダルゲーム機が知られている。これらのメダルゲーム機は、メダルに駆動力を付与する駆動ローラと、駆動ローラを回転駆動する駆動源と、駆動ローラにより駆動力が付与されたメダルが移動する湾曲状のレール部材と、を有するメダル発射装置、を備えている（下記各特許文献参照）。
【特許文献１】特開２００２−１７９８０号公報
【特許文献２】特開２００２−２３９２０５号公報
【特許文献３】特開２００１−１３７５３２号公報
【考案の開示】
【考案が解決しようとする課題】
【０００３】
ところで、上記メダルゲーム機では、駆動ローラ、駆動源、レール部材がそれぞれ別個独立してメダルゲーム機に取り付けられる構成であり、メダル発射装置として１つのケーシングにまとめられた状態ではなかった。このため、メダル発射装置として、他のゲーム機に装着（転用）することが困難であり、また、携帯性に優れるものではなかった。また、メダル発射装置として、各構成部材がばらばらになっていたため、コンパクト性にも欠けるものとなっていた。
【０００４】
そこで、本考案は、簡易な構成でコンパクトにまとめることができ、かつメダルを円滑に発射させることができるメダル発射装置を提供することを目的とする。
【課題を解決するための手段】
【０００５】
請求項１に記載の考案は、メダルを発射するメダル発射装置であって、他の部材に取り付け可能なケーシングと、前記ケーシングに収容され、投入された前記メダルが移動する湾曲状のレール部材と、前記ケーシングに収容され、回転駆動することにより前記レール部材との間で挟持した前記メダルに駆動力を与え、前記メダルを前記レール部材に沿って発射させる駆動ローラと、前記ケーシングに収容され、前記駆動ローラを回転駆動する駆動源と、を有することを特徴とする。
【０００６】
請求項１に記載の考案によれば、レール部材に投入されたメダルは、レール部材上を移動し、やがて駆動ローラとレール部材との間に挟持される。この状態で、駆動源により回転駆動された駆動ローラからメダルに駆動力が与えられる。駆動力が与えられたメダルは、湾曲状のレール部材を移動して発射される。ここで、メダル発射装置を構成するレール部材、駆動ローラ及び駆動源は、全てケーシングに収容されている構成であるため、メダル発射装置の各構成部材を１つのケーシングの内部にまとめることができ、簡易な構成を実現でき、かつコンパクト化を図ることができる。また、ケーシングは、他の部材に取り付け可能に構成されているため、メダル発射装置全体としての転用や取替えを容易に行うことができる。
【０００７】
請求項２に記載の考案は、請求項１に記載のメダル発射装置において、前記駆動源は、モータであり、前記駆動ローラと前記モータは、前記レール部材を挟んで上下方向に配置され、前記モータの回転軸に取り付けられたプーリと前記駆動ローラの回転軸に取り付けられたプーリに掛け渡されたタイミングベルトにより前記モータの駆動力が前記駆動ローラに伝達されることを特徴とする。
【０００８】
請求項２に記載の考案によれば、駆動ローラとモータはレール部材を挟んで上下方向に配置されているので、駆動ロータ及びモータをコンパクトに収容することができ、メダル発射装置のケーシングを効率良く小型化することができる。これにより、狭いスペースにメダル発射装置を取り付けることができ、メダル発射装置の適用範囲を広げることができる。
【０００９】
ここで、モータの回転軸に取り付けられたプーリと駆動ローラの回転軸に取り付けられたプーリに掛け渡されたタイミングベルトによりモータの駆動力が駆動ローラに伝達される構成としたことにより、タイミングベルトの長さを適宜調整することで、駆動ローラとモータを、レール部材を挟んだ上下方向に離間して配置することが可能になるとともに、モータの駆動力を駆動ローラに確実に伝達することができる。
【００１０】
請求項３に記載の考案は、請求項１又は２に記載のメダル発射装置において、前記レール部材、前記駆動ローラ及び前記駆動源は、前記ケーシングに収容され前記ケーシングに対して所定の円弧を描くように所定の軸回りに回転移動する位置調整部材に設けられ、前記位置調整部材には、把持可能な把持部材が設けられ、前記把持部材を操作して前記位置調整部材を円弧に沿って回転移動させることにより前記メダルの発射方向を調整することを特徴とする。
【００１１】
請求項３に記載の考案によれば、レール部材、駆動ローラ及び駆動源は、ケーシングに収容されケーシングに対して所定の円弧を描くように所定の軸回りに回転移動する位置調整部材に設けられており、把持部材を操作して位置調整部材を円弧に沿って回転移動させることによりメダルの発射方向を調整することができる。これにより、状況に合わせて、メダル発射方向を自在に変更することができる。特に、移動する目標物に対してメダルを当てて遊技するゲーム機に、このメダル発射装置が用いられる場合には、移動する目標物を合わせてメダルの発射方向を変えることができるため、遊技に合致した動作を実現することができる。
【００１２】
請求項４に記載の考案は、請求項３に記載のメダル発射装置において、前記位置調整部材には、前記駆動ローラを回転可能に支持し、かつ前記駆動ローラと前記レール部材との間の離間距離を調整するローラ支持部材が設けられていることを特徴とする。
【００１３】
請求項４に記載の考案によれば、位置調整部材に設けられたローラ支持部材により、駆動ローラが回転可能に支持され、かつ駆動ローラとレール部材との間の離間距離が調整される。これにより、メダルのサイズや厚みが異なる場合でも、駆動ローラとレール部材との間の離間距離が調整されることにより、メダルを発射させることができる。特に、ローラ支持部材には、駆動ローラを回転可能に支持する機能の他に、駆動ローラとレール部材との間の離間距離を調整する機能も兼備しているので、部品点数を削減できる。この結果、ケーシングが大型化することを防止できる。
【００１４】
請求項５に記載の考案は、請求項３又は４に記載のメダル発射装置において、前記位置調整部材であって前記レール部材に前記メダルを投入する部位には、前記レール部材と連通し前記レール部材に残留した前記メダルを除去する工具を挿入可能な筒状部材が設けられ、前記把持部材は、前記筒状部材に取り付けられていることを特徴とする。
【００１５】
請求項５に記載の考案によれば、レール部材に残留したメダルは、筒状部材から工具を挿入し、残留したメダルを工具によってレール部材に沿って押し出すことにより、メダルを容易に除去することができる。また、工具を挿入可能にする筒状部材には、把持部材が取り付けられている。このように、レール部材に残留したメダルを容易に除去することができるとともに、筒状部材に工具挿入機能と把持部材取付機能の２つの機能を兼備させることにより、部品点数を削減できる。
【００１６】
請求項６に記載の考案は、請求項１乃至５のいずれか１項に記載のメダル発射装置において、前記レール部材に残留した前記メダルを検知するメダル検知手段を設けたことを特徴とする。
【００１７】
請求項６に記載の考案によれば、メダル検知手段により、レール部材に残留したメダルの有無を判断することができる。これにより、レール部材にメダルが残留している場合には、そのメダルを取り除くことにより、次のメダルを発射させるときに悪影響を及ぼすことを防止できる。
【考案の効果】
【００１８】
本考案によれば、簡易な構成でコンパクトにまとめることができ、かつメダルを円滑に発射させることができる。
【考案を実施するための最良の形態】
【００１９】
次に、本考案の第1実施形態に係るメダル発射装置について説明する。
【００２０】
先ず、メダル発射装置が採用されるメダルゲーム機の概略について説明する。
図１及び図２に示すように、メダルゲーム機１０は、遊技部１２と、遊技部１２の下部に設けられたメダル収容部１４と、を備えている。遊技部１２には、箱状の枠体１６と、枠体１６の開口部に開閉可能に取り付けられたガラス扉１８と、が設けられている。この枠体１６の内部には、メダルで遊技を行う遊技盤２０がガラス扉１８を通して視認可能に設けられている。この遊技盤２０には、左右方向に移動可能に設けられ、メダルを当てるターゲットとなる移動目標物（図示省略）が設けられている。遊技者は、この移動する移動目標物を狙いながら、後述のメダル発射装置２４からメダルを発射させて遊技する。
【００２１】
メダル収容部１４には、枠体２２と、枠体２２に取り付けられメダルを発射させるメダル発射装置２４と、枠体２２内部に設けられ遊技者から投入されたメダルを収容するとともに収容されたメダルを１枚ずつメダル発射装置２４に供給するメダル供給ホッパ２６（図２参照）と、が設けられている。メダルがメダル投入口２８から投入されると、メダル供給ホッパ２６に一時的に貯留され、メダル供給ホッパ２６からメダルが１枚ずつメダル発射装置２４に供給される。メダル発射装置２４に供給されたメダルは、メダル発射装置２４から１枚ずつ発射される。
【００２２】
ここで、遊技盤２０には、野球ゲームのダイヤモンドをモチーフにしたデザインが施されている。そして、移動目標物にメダルを当てると、抽選処理が開始され、ホームラン、ツーベースヒット、シングルヒット、三振、内野フライ、など野球のルールに即した抽選結果が与えられる。この抽選結果に基づいて、ダイヤモンド上の一塁、二塁、三塁に、打者をモチーフにしたメダル収容トレイ（図示省略）が進み、抽選結果及び野球ルールに基づいて、メダル収容トレイが進塁する。そして、メダル収容トレイがホームインすれば、遊技者側に得点されるとともに、遊技者にメダル収容トレイに収容されているメダルの全部又は一部が与えられる。なお、メダル遊技は、野球ルールに基づいて進行し、遊技者とコンピュータとが点数を競い、最終的に、遊技者側が試合に勝った場合には、所定枚数のメダルが与えられる。
【００２３】
次に、上記メダルゲーム機１０に採用されるメダル発射装置について説明する。図３乃至図８に示すように、メダル発射装置２４は、箱状のケーシング３０を備えている。このケーシング３０は、メダルゲーム機１０のメダル収容部１４に装着されるものであり、他のゲーム機にも転用されるものである。
【００２４】
主に図５に示すように、ケーシング３０の内部には、ケーシング３０に対して回転移動可能な位置調整部材３２が設けられている。この位置調整部材３２の底面には、回転軸３４が取り付けられている。この回転軸３４は、ベアリング３６を介して、ケーシング３０の底面に回転可能となるように取り付けられている。これにより、位置調整部材３２は、この回転軸３４の軸回りに回転可能に構成されている。また、位置調整部材３２の底面には、突起部３８が設けられている。図６に示すように、突起部３８は、ケーシング３０の底面に形成された円弧状の溝部４０に挿入されている。このため、位置調整部材３２が回転軸３４の軸回りに回転すると、突起部３８が円弧状の溝部４０に沿って移動する。このため、位置調整部材３２は、溝部４０の円弧長に対応する角度だけ左右に回転する。
【００２５】
図３乃至図５に示すように、位置調整部材３２には、駆動モータ（駆動源、モータ）４２がモータ取付部材４４を介して取り付けられている。この駆動モータ４２の回転軸４６には、駆動側プーリ（プーリ）４８が取り付けられている。駆動側プーリ４８の外周面には、タイミングベルト５０がかけられている。なお、図１０に示すように、駆動モータ４２の回転駆動は、コントローラ６０により制御される。
【００２６】
また、位置調整部材３２の駆動モータ４２の上方には、フレーム部材５２が取り付けられている。このフレーム部材５２の内部には、滑らかな湾曲状に形成されたレール部材５４が収容されている。このレール部材５４の一方側端部５４Ａは、メダル投入側となり位置調整部材３２の上部側まで延びており、他方側端部５４Ｂはメダル発射側となり一方側端部５４Ａよりも前側（遊技者側）でかつ斜め上方向に延びている。レール部材５４の一方側端部５４Ａに投入されたメダルは、湾曲状のレール部材５４の通過面を通過して、レール部材５４の他方側端部５４Ｂから斜め上方に向けて発射される。また、レール部材５４の上方側には、カバー部材５６が取り付けられている。このため、レール部材５４の通過面を移動するメダルは、後述のウレタンローラ６０から駆動力が与えられても、常にレール部材５４とカバー部材５６との空間を移動することになり、メダルを正常かつ確実に発射させることが可能になる。
【００２７】
また、図３及び図５に示すように、カバー部材５６には、メダル検出センサ（メダル検知手段）５８が取り付けられている。このメダル検出センサ５８は、レール部材５４上に残留しているメダルの有無を検出するものである。メダル検出センサ５８としては、光センサ、赤外線センサ、などが用いられる。
【００２８】
ここで、図１０に示すように、駆動モータ４２及びメダル検出センサ５８には、コントローラ６０が電気的に接続されている。駆動モータ４２の駆動力は、コントローラ６０により制御されており、コントローラ６０の制御に基づいてメダルの飛距離が調整される。また、メダル検出センサ５８によりレール部材５４に残留したメダルが検出された場合には、所定の残留コマンドがメダル検出センサ５８からコントローラ６０に出力され、駆動モータ４２の駆動が停止される。これにより、レール部材５４に別のメダルが残留した状態で、新たなメダルが発射されることを防止できる。
【００２９】
さらに、メダル検出センサ５８には、報知手段６２が電気的に接続されている。この報知手段６２としては、例えば、メダルの残留を示す警報音を出力するスピーカ、点灯することにより遊技者や係員にメダルの残留を知らせる警報ランプ、などが用いられている。レール部材５４にメダルが残留した場合には、メダル検出センサ５８から報知手段６２にコマンドが送信され、これにより、メダルが残留していることを遊技者又は遊技関係者に知らせることができる。
【００３０】
また、図３乃至図５に示すように、位置調整部材３２上であってレール部材５４の上方には、ウレタンローラ（駆動ローラ）６４が設けられている。このウレタンローラ６４は、レール部材５４に投入されたメダルをレール部材５４の通過面との間に挟持して駆動力を与えるものである。ウレタンローラ６４には回転軸６６が設けられており、その回転軸６６の両端は、軸受部材（ローラ支持部材）６８により回転可能に支持されている。また、ウレタンローラ６４の回転軸６６には、ローラ側プーリ（プーリ）７０が設けられている。このローラ側プーリ７０の外周面には、上述したタイミングベルト５０がかけられている。このように、タイミングベルト５０は、駆動モータ４２の回転軸４６に取り付けられている駆動側プーリ４８と、ウレタンローラ６４の回転軸６６に取り付けられているローラ側プーリ７０と、にかけ渡されており、駆動モータ４２の駆動力がウレタンローラ６４に伝達されるように構成されている。
【００３１】
軸受部材６８の下部には、回転軸７２が取り付けられている。この回転軸７２は、下方に位置するモータ取付部材４４により回転可能に支持されている。このように、軸受部材６８は、回転軸７２の軸回りに所定の回転角度だけ回転するように構成されている。軸受部材６８が回転軸回りに回転すると、ウレタンローラ６４とレール部材５４の通過面との離間距離が変化する。
【００３２】
また、図８に示すように、軸受部材６８と位置調整部材３２とは、ばね部材７４で接続されている。このばね部材７４は、弾性力により軸受部材６８の回転角度を調整するものであり、メダルの厚みに応じてばね部材７４が伸縮することにより、軸受部材６８が回転軸７２回りに回転し、ウレタンローラ６４がメダルに及ぼす圧力を調整することができる。
【００３３】
また、図７及び図８に示すように、位置調整部材３２の上部には、円筒部材（筒状部材）７６が設けられている。この円筒部材７６は、位置調整部材３２に取り付けられたレール部材５４の一方側端部５４Ａと連通するように形成されている。また、円筒部材７６には、遊技者が把持する把持部材７８が着脱可能となるように取り付けられている。遊技者が把持部材７８を回転操作することにより、位置調整部材３２を左右に所定の角度だけ回転移動させることができる。これにより、メダルの発射方向を容易に変更することができる。
【００３４】
また、図８に示すように、位置調整部材３２には、レール部材５４の一方側端部５４Ａにメダルを導くメダル投入通路８０が設けられている。このメダル投入通路８０には、メダル供給ホッパ２６によりメダルが１枚ずつ供給される。
【００３５】
このように、位置調整部材３２の内部には、レール部材５４の下方に駆動モータ４２が配置され、かつレール部材５４の上方にウレタンローラ６４が配置され、ウレタンローラ６４と駆動モータ４２とがレール部材５４を挟んで上下方向に配置された構成となっている。特に、駆動モータ４２の回転軸４６に取り付けられた駆動側プーリ４８とウレタンローラ６４の回転軸６６に取り付けられたローラ側プーリ７０とに掛け渡されたタイミングベルト５０により駆動モータ４２の駆動力がウレタンローラ６４に伝達される構成としたことにより、タイミングベルト５０の長さを適宜調整することで、ウレタンローラ６４と駆動モータ４２を、レール部材５４を挟んだ上下方向に離間して配置することが可能になる。
【００３６】
また、レール部材５４、ウレタンローラ６４及び駆動モータ４２を含めた主な構成部材は、全てケーシング３０に収容されている構成であるため、メダル発射装置２４の各構成部材を１つのケーシング３０の内部にまとめることができる。この結果、簡易な構成を実現でき、かつコンパクト化を図ることができる。また、ケーシング３０は、メダルゲーム機１０のメダル収容部１４に取り付け可能に構成されているため、メダル発射装置２４全体としての転用や取替えを容易に行うことができる。
【００３７】
次に、本実施形態のメダル発射装置２４の作用について説明する。
【００３８】
図２及び図９に示すように、遊技者からメダルゲーム機１０のメダル投入口２８にメダルが投入されると、そのメダルがメダル供給ホッパ２６により一時的に貯留され、必要な枚数のメダルがメダル供給路８２を介して１枚ずつメダル発射装置２４のメダル投入通路８０に供給される。
【００３９】
図５に示すように、メダル投入通路８０にメダルが供給されると、メダルはレール部材５４の一方側端部５４Ａ近傍に導かれて、レール部材５４の通過面上を落下する。そして、メダルは、ウレタンローラ６４とレール部材５４の通過面との間に挟持される。
【００４０】
ウレタンローラ６４がコントローラ６０により回転駆動されて、ウレタンローラ６４の回転駆動力がメダルに伝達される。すなわち、メダルはウレタンローラ６４の外周面と接触するともに、メダルにはウレタンローラ６４の周方向に向かう力（レール部材５４の他方側端部５４Ｂにメダルを送る力）が付与される。このとき、ウレタンローラ６４の回転駆動力は、コントローラ６０により制御される。
【００４１】
ここで、図８に示すように、ウレタンローラ６４の外周面とレール部材５４の通過面との間でメダルを挟持するときに、メダルの厚みに応じてメダルからウレタンローラ６４の外周面に対して圧力が作用し、ウレタンローラ６４を支持する軸受部材６８が回転軸回りに回転してウレタンローラ６４がレール部材５４の通過面から離れる方向に移動しようとするが、ばね部材７４により軸受部材６８に対して弾性力が付与されるので、ウレタンローラ６４の位置が維持される。このように、ウレタンローラ６４を軸受部材６８により回転軸回りに回転自在に保持し、軸受部材６８と位置調整部材３２との間をばね部材７４で接続し軸受部材６８に適宜弾性力が作用させることにより、メダルの厚みに応じてウレタンローラ６４の外周面とレール部材５４の通過面との離間距離を調整することができる。そして、メダルの厚みに最適なウレタンローラ６４の位置及び姿勢を維持させることができる。
【００４２】
特に、軸受部材６８を回転軸７２回りに回転可能に構成し、かつばね部材７４から弾性力が付与されて軸受部材６８の位置を調整可能に構成したことにより、軸受部材６８に、ウレタンローラ６４の支持機能と、ウレタンローラ６４の外周面とレール部材５４の通過面との離間距離調整機能と、を兼備させることができる。このように、１つの必須構成部材で２つの独立した機能を兼備させることにより、位置調整部材３２に収容する構成部材を削減でき、ひいてはメダル発射装置２４を小型化することができる。
【００４３】
ウレタンローラ６４により駆動力が付与されたメダルは、レール部材５４の通過面上をレール部材５４の他方側端部５４Ｂに向けて、湾曲したレール部材５４の通過面上を移動し、レール部材５４の他方側端部５４Ｂから斜め上方に向かって発射される。遊技者は、移動目標物にメダルを当てるようにして遊技する。
【００４４】
ここで、図５及び図６に示すように、移動目標物が左右方向に移動するが、この移動目標物の移動に応じて遊技者が把持部材７８を適宜操作することにより、位置調整部材３２を回転軸３４回りに、かつ溝部４０に沿って所定の円弧状に移動させることができる。これにより、位置調整部材３２及びレール部材５４も回転移動することができ、レール部材５４の角度を変更することができる。この結果、移動目標物の移動に伴い、メダルの発射方向を自在に変更することができる。そして、上述したように、メダルが移動目標物に当たると、抽選処理が開始されて、野球ゲームが進行する。
【００４５】
また、図５及び図１０に示すように、レール部材５４の通過面上にメダルが残留した場合には、メダル検出センサ５８によりそのメダルを検出して、報知手段６２を介して、遊技者及び遊技関係者にメダルが残留していることを報知することができる。そして、メダルが残留している場合には、把持部材７８を円筒部材７６から取り外して、円筒部材７６から所定の工具を進入させる。円筒部材７６から進入した工具は、レール部材５４の通過面上を進入し、やがて残留しているメダルと接触する。その後、工具でメダルを押し出すようにして、レール部材５４の通過面上を移動させ、レール部材５４のメダル発射側となる他方側端部５４Ｂから外部に押し出す。このように作業を実行することにより、レール部材５４上に残留したメダルを除去することができる。
【００４６】
特に、図５及び図７に示すように、遊技者が把持する把持部材７８を円筒部材７６から取り外して工具を挿入させるだけで、残留したメダルを容易に取り除くことができる。このように、円筒部材７６に、把持部材７８を取り付けるための把持部材取付機能と、残留したメダルを除去するときに工具を挿入させるための工具挿入機能と、を兼備させることができる。この結果、１つの必須構成部材で２つの独立した機能を兼備させることにより、位置調整部材３２に収容する構成部材を削減でき、ひいてはメダル発射装置２４を小型化することができる。
【００４７】
なお、本実施形態では、メダル発射装置をメダルゲーム機に適用した構成を示したが、この構成に限られるものではなく、メダルを発射させる必要がある装置全般に本考案のメダル発射装置を適用することができる。
【図面の簡単な説明】
【００４８】
【図１】本考案の第１実施形態に係るメダル発射装置が適用されたメダルゲーム機の正面図である。
【図２】本考案の第１実施形態に係るメダル発射装置が適用されたメダルゲーム機のメダル収容部内部を示す構成図である。
【図３】本考案の第１実施形態に係るメダル発射装置の斜め上方から見た斜視図である。
【図４】本考案の第１実施形態に係るメダル発射装置の正面図である。
【図５】本考案の第１実施形態に係るメダル発射装置が縦断面図である。
【図６】本考案の第１実施形態に係るメダル発射装置の底面側から見た斜視図である。
【図７】本考案の第１実施形態に係るメダル発射装置の内部構成を示した説明図である。
【図８】本考案の第１実施形態に係るメダル発射装置の一部を拡大した部分拡大図である。
【図９】本考案の第１実施形態に係るメダル発射装置がメダルゲーム機のメダル収容部に取り付けられた状態を示す説明図である。
【図１０】本考案の第１実施形態に係るメダル発射装置の制御を実現する制御システム図である。
【符号の説明】
【００４９】
１０        メダルゲーム機
２４        メダル発射装置
３０        ケーシング
３２        位置調整部材
４２        駆動モータ（駆動源、モータ）
４８        駆動側プーリ（プーリ）
５０        タイミングベルト
５４        レール部材
５８        メダル検出センサ（メダル検知手段）
６４        ウレタンローラ（駆動ローラ）
６８        軸受部材（ローラ支持部材）
７０        ローラ側プーリ（プーリ）
７６        円筒部材（筒状部材）
７８        把持部材
【図１】
0003139699.tif 000003
【図２】
0003139699.tif 000004
【図３】
0003139699.tif 000005
【図４】
0003139699.tif 000006
【図５】
0003139699.tif 000007
【図６】
0003139699.tif 000008
【図７】
0003139699.tif 000009
【図８】
0003139699.tif 000010
【図９】
0003139699.tif 000011
【図１０】
0003139699.tif 000012